(57)【要約】【課題】アルミニウム箔を使用せずに金属光沢を出した美麗性を有する易カット性の袋を提供すること。【解決手段】金属蒸着薄膜層（１１ａ）を設けた一方向易引き裂き性フィルム（１１）の片面に、易引き裂き性の方向を合わせて別の一方向易引き裂き性フィルム（１２）を接着剤層（１４）を介して貼り合わせ、金属蒸着薄膜層（１１ａ）を設けた一方向易引き裂き性フィルム（１１）のもう一方の面に接着剤（１４）を介してシール層（１３）を設けた複合フィルム（１０）を使用する。金属蒸着薄膜層（１１ａ）を設けた一方向易引き裂き性フィルム（１１）と、接着剤を介して貼り合わせた別の一方向易引き裂き性フィルム（１２）の間に印刷層（１５）を設けても良い。【選択図】図１
2004189312.tif 000002
【特許請求の範囲】
【請求項１】
金属蒸着薄膜層を設けた一方向易引き裂き性フィルムの片面に、易引き裂き性の方向を合わせて別の一方向易引き裂き性フィルムを接着剤を介して貼り合わせ、前記金属蒸着薄膜層を設けた一方向易引き裂き性フィルムのもう一方の面に接着剤を介してシール層を設けた複合フィルムを用いたことを特徴とする、易カット性の袋。
【請求項２】
前記金属蒸着薄膜層を設けた一方向易引き裂き性フィルムと、接着剤を介して貼り合わせた別の一方向易引き裂き性フィルムの間に印刷層を設けたことを特徴とする、請求項１記載の易カット性の袋。
【請求項３】
前記シール層が未延伸ポリプロピレンフィルムであることを特徴とする、請求項１又は２記載の易カット性の袋。
【請求項４】
前記袋が、二方シール袋、又は三方シール袋であって、かつ、易引き裂きの方向と交わる袋の端縁に、ノッチ等の開封開始部が設けられていることを特徴とする、請求項１乃至３のいずれか１項に記載の易カット性の袋。
【請求項５】
前記金属蒸着薄膜層を設けた一方向易引き裂き性フィルムと、接着剤を介して貼り合わせた別の一方向易引き裂き性フィルムのいずれか一方の一方向易引き裂き性フィルム、又は両方の一方向易引き裂き性フィルムがポリエステル樹脂系のプラスチックフィルムであることを特徴とする、請求項１乃至４のいずれか１項に記載の易カット性の袋。
【発明の詳細な説明】
【０００１】
【発明の属する技術分野】
本発明は易カット性の袋に関するものであり、特に、アルミニウム箔を使用せずに金属光沢を出した美麗性を有する易カット性の袋に関するものである。
【０００２】
【従来の技術】
従来、ガゼット袋、縦ピロー袋などの背シール部を有する袋において、背シール部にノッチを入れてこの部分から引き裂くと袋が一周して切れ、開口できるようにしたものが多い。
しかし多くは一軸延伸したフィルムのみで、あるいはこれと紙、アルミニウム箔あるいは未延伸フィルムとの複合フィルムを用いており、延伸方向とは異なる方向に裂けて行く場合が見られ切り口がきれいに開口しないケースがままあった。
【０００３】
この問題を解決する方法として、横一軸延伸したフィルムを延伸方向を一致させて２層以上積層した材料を用い背シール部を有し、該背シール部に開封用ノッチを入れた引き裂き容易な袋としたものがある（例えば、特許文献１参照）。
【０００４】
【特許文献１】
実開昭６０−１３６９６４号公報
【０００５】
しかしながらこの考案ではアルミニウム箔を使用しているため、昨今の容器包装リサイクル法（正式名称「容器包装に係わる分別収集及び再商品化の促進等に関する法律」）の施行に伴い、使用後の空袋の廃棄及びリサイクルを考えた時、アルミニウム箔を分離して廃棄せねばならず、使い勝手が良くないという問題が生じてきた。
【０００６】
【発明が解決しようとする課題】
本発明は、アルミニウム箔を使用した易カット性の袋に関する以上のような問題点を解決するためになされたのもので、アルミニウム箔を使用せずに金属光沢を出した美麗性を有する易カット性の袋を提供することを課題とする。
【０００７】
【課題を解決するための手段】
本発明の請求項１の発明は、金属蒸着薄膜層を設けた一方向易引き裂き性フィルムの片面に、易引き裂き性の方向を合わせて別の一方向易引き裂き性フィルムを接着剤を介して貼り合わせ、前記金属蒸着薄膜層を設けた一方向易引き裂き性フィルムのもう一方の面に接着剤を介してシール層を設けた複合フィルムを用いたことを特徴とする、易カット性の袋である。
【０００８】
このように請求項１記載の発明によれば、袋を構成する複合フィルムとして、金属蒸着薄膜層を設けた一方向易引き裂き性フィルムの片面に、易引き裂き性の方向を合わせて別の一方向易引き裂き性フィルムを接着剤を介して貼り合わせ、前記金属蒸着薄膜層を設けた一方向易引き裂き性フィルムのもう一方の面に接着剤を介してシール層を設けた複合フィルムを用いているので、同一方向に引き裂け切り口がきれいに開口する。
また、金属蒸着薄膜層が設けられているので外観が金属光沢を有し美麗性に優れている。
【０００９】
また、請求項２の発明は、請求項１の発明において、前記金属蒸着薄膜層を設けた一方向易引き裂き性フィルムと、接着剤を介して貼り合わせた別の一方向易引き裂き性フィルムの間に印刷層を設けたことを特徴とする、易カット性の袋である。
【００１０】
このように請求項２記載の発明によれば、金属蒸着薄膜層を設けた一方向易引き裂き性フィルムと、接着剤を介して貼り合わせた別の一方向易引き裂き性フィルムの間に印刷層を設けたので、袋の差別化を図ることができ、また、各種の商品情報等を記すことができる。
【００１１】
また、請求項３の発明は、請求項１又は２記載の発明において、前記シール層が未延伸ポリプロピレンフィルムであることを特徴とする、易カット性の袋である。
【００１２】
このように請求項３記載の発明によれば、シール層が未延伸ポリプロピレンフィルムであるので、シール性に優れている。
【００１３】
また、請求項４の発明は、請求項１乃至３のいずれか１項に記載の発明において、前記袋が、二方シール袋、又は三方シール袋であって、かつ、易引き裂きの方向と交わる袋の端縁に、ノッチ等の開封開始部が設けられていることを特徴とする、易カット性の袋である。
【００１４】
このように請求項４記載の発明によれば、袋は、二方シール袋、又は三方シール袋であって、かつ、易引き裂きの方向と交わる袋の端縁に、ノッチ等の開封開始部が設けられているので、安価に製造でき、かつ、開封開始部から容易に開封することができる。
【００１５】
また、請求項５の発明は、請求項１乃至４のいずれか１項に記載の発明において、前記金属蒸着薄膜層を設けた一方向易引き裂き性フィルムと、接着剤を介して貼り合わせた別の一方向易引き裂き性フィルムのいずれか一方の一方向易引き裂き性フィルム、又は両方の一方向易引き裂き性フィルムがポリエステル樹脂系のプラスチックフィルムであることを特徴とする、易カット性の袋である。
【００１６】
このように請求項５記載の発明によれば、金属蒸着薄膜層を設けた一方向易引き裂き性フィルムと、接着剤を介して貼り合わせた別の一方向易引き裂き性フィルムのいずれか一方の一方向易引き裂き性フィルム、又は両方の一方向易引き裂き性フィルムがポリエステル樹脂系のプラスチックフィルムであるので、透明性に優れた強靱な袋を作製することができる。
【００１７】
【発明の実施の形態】
本発明の易カット性の袋を一実施形態に基づいて以下に詳細に説明する。
図１は本発明の易カット性の袋に使用する複合フィルムの一実施例を示す、断面説明図である。
本発明の易カット性の袋は、例えば図１、図２に示すように、金属蒸着薄膜層（１１ａ）を設けた一方向易引き裂き性フィルム（１１）の片面に、易引き裂き性の方向を合わせて別の一方向易引き裂き性フィルム（１２）を接着剤（１４）を介して貼り合わせ、前記金属蒸着薄膜層を設けた一方向易引き裂き性フィルムのもう一方の面に接着剤（１４）を介してシール層（１３）を設けた複合フィルム（１０）を用いたことを特徴とするものである。
【００１８】
一方向易引き裂き性フィルム（１１、１２）としては、延伸ポリエステルフィルム（例えば、商品名；エンブレットＰＣ、ユニチカ株式会社製）が好ましく使用できる。厚さは１２μｍ程度が好ましい。
【００１９】
また、金属蒸着薄膜層（１１ａ）は、例えば上記の延伸ポリエステルフィルム上に、酸化アルミニウムや酸化ケイ素などの無機化合物の薄膜を物理蒸着あるいは化学蒸着などの蒸着法により２０〜１００ｎｍ程度の厚さに設けたもので、金属蒸着薄膜層（１１ａ）を設けた一方向易引き裂き性フィルム（１１）として、より具体的には、上記エンブレットＰＣをベースにした東洋メタライジング株式会社製の蒸着紙１４１０（厚さ１２μｍ）が好ましく使用できる。
【００２０】
シール層（１３）としては、厚さ２５μｍ程度の未延伸ポリプロピレンフィルムが好ましく使用できる。
【００２１】
金属蒸着薄膜層（１１ａ）を設けた一方向易引き裂き性フィルム（１１）の片面に、易引き裂き性の方向を合わせて別の一方向易引き裂き性フィルム（１２）を貼り合わせる際に使用する接着剤（１４）、あるいは、前記金属蒸着薄膜層（１１ａ）を設けた一方向易引き裂き性フィルム（１１）のもう一方の面とシール層（１３）とを貼り合わせる際に使用する接着剤（１４）としては、一般的に公知のポリウレタン樹脂系の接着剤が好ましく使用できる。
【００２２】
また、それぞれの一方向易引き裂き性フィルムとシール層とはドライラミネート法により貼り合わせることができる。
【００２３】
また、金属蒸着薄膜層（１１ａ）を設けた一方向易引き裂き性フィルム（１１）と、接着剤（１４）を介して貼り合わせた別の一方向易引き裂き性フィルム（１２）の間に印刷層（１５）を設けることができる。
【００２４】
印刷層（１５）を設けることにより、美粧性を高めたり、袋の差別化を図ることができ、また、各種の商品情報等を記すことができる。
【００２５】
このようにして作製した複合フィルム（１０）から、二方シール袋、又は三方シール袋を作製し、本発明の易カット性の袋（２０）とする（図３参照）。
袋の周縁のシール部（２１）で、易引き裂きの方向と交わる袋のシール部の端縁に、開封開始部（２２）を設けておくことにより、開封開始位置、開封方向がわかり易くなる。
開封開始部（２２）としては、Ｖ字状の切り込み（Ｖノッチ）、Ｉ字状の切り込み（Ｉノッチ）等が好ましい。
【００２６】
【発明の効果】
上記のように、本発明の易カット性の袋は、３層構成からなるため、比較的安価で、かつ、高級感のある美粧性に優れた袋で、化粧品用の易カット性の袋として好適である。
【図面の簡単な説明】
【図１】本発明の易カット性の袋に使用する複合フィルムの一実施例を示す、断面説明図である。
【図２】本発明の易カット性の袋に使用する複合フィルムの別の実施例を示す、断面説明図である。
【図３】本発明の易カット性の袋の一実施例を示す、平面説明図である。
【符号の説明】
１０‥‥複合フィルム
１１‥‥一方向易引き裂き性フィルム
１１ａ‥金属蒸着薄膜層
１２‥‥一方向易引き裂き性フィルム
１３‥‥シール層
１４‥‥接着剤層
１５‥‥印刷層
２０‥‥易カット性の袋
２１‥‥シール部
２２‥‥開封開始部
【図１】
2004189312.tif 000003
【図２】
2004189312.tif 000004
【図３】
2004189312.tif 000005